(57)【特許請求の範囲】
【請求項１】
内面に螺旋溝を設けた筒状体と、筒状体に軸方向移動不能で相対回転自在に嵌挿される案内筒と、前記案内筒に相対回転不能に係合されると共に前記螺旋溝に嵌合する突起を側面に有し棒状物を保持するホルダと、筆記軸体を収設する外筒と、を備え、前記案内筒の前方部分を外筒の後方部内面にまで伸ばした筆記具において、
外筒の後方部内面に複数の溝を形成すると共に、前記案内筒の前方部分に該溝に嵌合するリブを形成し、前記外筒の溝の後端部に、後方に向かうに連れて溝幅が漸次広くなるよう軸線方向に対して連続的に傾斜した傾斜面を形成すると共に、該リブの先端部の外面に、前方に向かうに連れてリブ幅が漸次狭くなるよう軸線方向に対して連続的に傾斜した傾斜面を形成し、外筒の溝と溝との間の山の幅をリブの幅よりも大きくし、前記リブの傾斜面の傾斜角度を前記溝の傾斜面の傾斜角度より大きくすることを特徴とする筆記具。
【請求項２】
内面に螺旋溝を設けた筒状体と、筒状体に軸方向移動不能で相対回転自在に嵌挿される案内筒と、前記案内筒に相対回転不能に係合されると共に前記螺旋溝に嵌合する突起を側面に有し棒状物を保持するホルダと、筆記軸体を収設する外筒と、を備え、前記案内筒の前方部分を外筒の後方部内面にまで伸ばした筆記具において、
外筒の後方部内面に複数の溝を形成すると共に、前記案内筒の前方部分に該溝に嵌合するリブを形成し、前記外筒の溝の後端部に、後方に向かうに連れて溝幅が漸次広くなるよう軸線方向に対して傾斜した傾斜面を形成すると共に、該リブの先端部の外面に、前方に向かうに連れてリブ幅が漸次狭くなるよう軸線方向に対して傾斜した傾斜面を形成し、外筒の傾斜面またはリブの傾斜面のいずれか一方を段部状傾斜面とし、いずれか他方を連続的な傾斜面とし、前記外筒の溝と溝との間には山を形成し、前記段部状傾斜面となった前記いずれか一方である外筒の山の幅またはリブの幅を、連続的な傾斜面となった前記いずれか他方である外筒の山の幅またはリブの幅よりも小さくし、段部状傾斜面の傾斜角度を連続的な傾斜面の傾斜角度より小さくすることを特徴とする筆記具。
【請求項３】
前記案内筒のリブよりも先端部に鍔部を設け、該鍔部の外周面を外筒の内面に当接させると共に、前記案内筒の後方部分を前記前方部分よりも拡径し、前記案内筒の後方部分の前端部の外周面を外筒の後端内面に当接させることを特徴とする請求項１または２に記載の筆記具。
【請求項４】
前記案内筒の前方部分の側面に開口を設け、該開口が設けられた案内筒の内面に筆記軸体の後端部に弾接する弾接突部を形成することを特徴とする請求項１ないし３のいずれかに記載の筆記具。
【発明の詳細な説明】
【０００１】
【発明の属する技術分野】
本発明は、外筒に対して筒状体を相対回転させることにより棒状物を繰り出すことができる筆記具に関する。
【０００２】
【従来の技術】
従来、この種の筆記具としては、例えば、実公平３−３９７号公報に記載されたものがある。この筆記具は、軸方向のスリット部を有する案内筒をキャップ内部に回動自在に配して当該案内筒の内部にそのスリット部に外面突起を嵌入させる消ゴム受けを軸方向に移動自在に組み込み、また、案内筒の外周部に消ゴム受けの外面突起の先端を嵌入させる螺旋溝を有する２つ割り部材により構成された螺旋筒をキャップと回転方向で一体化した状態で組み付けて、さらに、案内筒の前端部に継手の後端部外面を嵌入して回転方向で一体化し、継手の前端部を筆記軸体を収設する外筒の後端部内面に嵌入して回転方向で一体化している。
この案内筒と継手、及び継手と外筒との間で回転方向を一体化するのは、リブと溝との嵌合により行っている。
【０００３】
【発明が解決しようとする課題】
しかしながら、このようなリブと溝との嵌合は、その周方向の位置を互いに整合させないといけないため、案内筒を継手に嵌入する際、または継手と先軸とを嵌入する際に、その整合に手間がかかるという課題がある。
また、他の課題としては、リブと溝とを嵌合させる場合に、完全に両方の形状を一致させてガタのないように製造することは困難であり、その一方で両方の形状が完全に一致していると両部品の組立が困難になる。そのため、案内筒と外筒との間でガタが生ずるのはやむを得ないという課題がある。
本願発明はかかる課題に鑑みなされたもので、請求項１ないし４に記載された発明は、簡単に案内筒と外筒との間で相対回転をロックする構成に組み付けることができる筆記具を提供することをその目的とする。
また、請求項３に記載された発明は、上記目的に加えて、案内筒と外筒との間でガタが生じにくい構造とすることができる筆記具を提供することをその目的とする。
【０００４】
【課題を解決するための手段】
上記目的を達成するために本発明のうち請求項１記載の発明は、内面に螺旋溝を設けた筒状体と、筒状体に軸方向移動不能で相対回転自在に嵌挿される案内筒と、前記案内筒に相対回転不能に係合されると共に前記螺旋溝に嵌合する突起を側面に有し棒状物を保持するホルダと、筆記軸体を収設する外筒と、を備え、前記案内筒の前方部分を外筒の後方部内面にまで伸ばした筆記具において、
外筒の後方部内面に複数の溝を形成すると共に、前記案内筒の前方部分に該溝に嵌合するリブを形成し、前記外筒の溝の後端部に、後方に向かうに連れて溝幅が漸次広くなるよう軸線方向に対して連続的に傾斜した傾斜面を形成すると共に、該リブの先端部の外面に、前方に向かうに連れてリブ幅が漸次狭くなるよう軸線方向に対して連続的に傾斜した傾斜面を形成し、外筒の溝と溝との間の山の幅をリブの幅よりも大きくし、前記リブの傾斜面の傾斜角度を前記溝の傾斜面の傾斜角度より大きくすることを特徴とする。
案内筒の前方部分を外筒の後方部内面に嵌入する際に、外筒の溝及びリブにそれぞれ形成された傾斜面に沿って、両部品が正しい周方向の位置関係になるように誘導される。また、リブの傾斜面の傾斜角度が前記溝の傾斜面の傾斜角度より大きくなっていることから、リブの尖った先端が溝の傾斜面に沿って移動することを避けることができ、常にリブの傾斜面と溝の傾斜面の面同士が摺接するようできるため、スムーズに案内筒を外筒に対して前進させることができる。
【０００５】
また、請求項２記載の発明は、内面に螺旋溝を設けた筒状体と、筒状体に軸方向移動不能で相対回転自在に嵌挿される案内筒と、前記案内筒に相対回転不能に係合されると共に前記螺旋溝に嵌合する突起を側面に有し棒状物を保持するホルダと、筆記軸体を収設する外筒と、を備え、前記案内筒の前方部分を外筒の後方部内面にまで伸ばした筆記具において、
外筒の後方部内面に複数の溝を形成すると共に、前記案内筒の前方部分に該溝に嵌合するリブを形成し、前記外筒の溝の後端部に、後方に向かうに連れて溝幅が漸次広くなるよう軸線方向に対して傾斜した傾斜面を形成すると共に、該リブの先端部の外面に、前方に向かうに連れてリブ幅が漸次狭くなるよう軸線方向に対して傾斜した傾斜面を形成し、外筒の傾斜面またはリブの傾斜面のいずれか一方を段部状傾斜面とし、いずれか他方を連続的な傾斜面とし、前記外筒の溝と溝との間には山を形成し、前記段部状傾斜面となった前記いずれか一方である外筒の山の幅またはリブの幅を、連続的な傾斜面となった前記いずれか他方である外筒の山の幅またはリブの幅よりも小さくし、段部状傾斜面の傾斜角度を連続的な傾斜面の傾斜角度より小さくすることを特徴とする。
外筒の傾斜面またはリブの傾斜面のいずれか一方を段部状傾斜面とした場合でも、請求項１記載の発明と同様に、案内筒の前方部分を外筒の後方部内面に嵌入する際に、外筒の溝及びリブにそれぞれ形成された傾斜面に沿って、両部品が正しい周方向の位置関係になるように誘導することができる。そして、段部状傾斜面の傾斜角度を連続的な傾斜面の傾斜角度より小さくすることにより、段部状傾斜面の段部に、他方の部材が係止しても、案内筒を少し回転させると係止が外れるため、スムーズに案内筒を外筒に対して前進させることができる。
【０００６】
また、請求項３記載の発明は、請求項１または２記載のものにおいて、前記案内筒のリブよりも先端部に鍔部を設け、該鍔部の外周面を外筒の内面に当接させると共に、前記案内筒の後方部分を前記前方部分よりも拡径し、前記案内筒の後方部分の前端部の外周面を外筒の後端内面に当接させることを特徴とする。
案内筒の鍔部の外周面が外筒の内面に当接し、また、案内筒の後方部分の前端部の外周面が外筒の後端内面に当接するため、これらの２点での当接により、案内筒は外筒に対してガタがない状態で組み付けられる。従って、リブと溝との間にはある程度のガタがあっても許容される。
また、請求項４記載の発明は、請求項１ないし３のいずれかに記載のものにおいて、前記案内筒の前方部分の側面に開口を設け、該開口が設けられた案内筒の内面に筆記軸体の後端部に弾接する弾接突部を形成することを特徴とする。
【０００７】
【発明の実施の形態】
以下、図１ないし図７を用いて本発明の第１の実施の形態を説明する。
本実施の形態に係る筆記具であるシャープペンシル３０は、シャープペンシル３０の外筒３２の後方で棒状物を繰り出すようにしたものである。
このシャープペンシル３０は、内面に螺旋溝１２ａを設けた筒状体１２と、筒状体１２に軸方向移動不能で相対回転自在に嵌挿される案内筒１４と、前記案内筒１４に相対回転不能に係合されると共に前記螺旋溝１２ａに嵌合する突起１６ａを側面に有し棒状物２０を保持するホルダ１６と、筆記軸体３４を収設する外筒３２と、を備える。
図３及び図４に示したように、案内筒１４は、後方部分１４Ａに軸方向に伸びる２つのスリット１４ａが形成され、後端部に鍔形ストッパー１４ｂが形成されると共に、前記スリット１４ａの前端部に、該スリット１４ａと連通する切り込み１４ｃにより径方向に弾性変形可能な突出片１４ｄが形成されている。そして、この鍔形ストッパー１４ｂが筒状体１２の後端部に当接すると共に突出片１４ｄが筒状体１２の内面に形成された環状の段部１２ｂに係止することによって、案内筒１４が筒状体１２に対して軸方向移動不能で相対回転自在に嵌挿される。
【０００８】
案内筒１４の前方部分１４Ｂは、外筒３２の後方内面にまで伸びて相対回転不能に収容される。具体的には、図３に示したように、案内筒１４の前方部分１４Ｂの外面には複数（本例では２本）のリブ１４ｅが形成されており、一方、図６に示したように、外筒３２の後方内面には軸方向に伸びる複数（本例では６本）の溝３２ａが形成されており、この複数の溝３２ａのうちのいずれかの溝３２ａ内にリブ１４ｅが嵌合している。
リブ１４ｅの先端部の外面には、前方に向かうに連れてリブ幅が漸次狭くなるよう、外筒３２の軸線方向、即ち筆記具の軸線方向に対して連続的に傾斜した傾斜面１４ｅ１が形成されている。また、同様に、外筒３２の溝３２ａの後端部には、後方に向かうに連れて溝幅が漸次広くなるよう、外筒３２の軸線方向、即ち筆記具の軸線方向に対して連続的に傾斜した傾斜面３２ａ１が形成されている。図１０に示したように、リブ１４ｅの傾斜面１４ｅ１の軸線方向からの傾斜角度θ１は展開図において３０度、溝３２ａの傾斜面３２ａ１の軸線方向からの傾斜角度θ２は２７．５度となっており、リブ１４ｅの傾斜面１４ｅ１の傾斜角度が溝３２の傾斜面３２ａ１の傾斜角度以上となっている。このように構成することにより、案内筒１４を外筒３２に嵌入する際に、それぞれの傾斜面１４ｅ１と３２ａ１に沿って、両部品が正しい周方向の位置関係になるように誘導される。さらに、図１０（ｂ）に示したように、リブ１４ｅの先端と、溝３２ａと溝３２ａとの間の山の後端３２ｃとが一致するような角度で案内筒１４が外筒３２内に挿入された場合であっても、溝３２ａと溝３２ａとの間の山の幅がリブ１４ｅの幅よりも大きく、案内筒１４を少し回転させるだけでリブ１４ｅの先端が溝３２ａの傾斜面３２ａ１から離れて溝３２ａの傾斜面３２ａ１とリブ１４ｅの傾斜面１４ｅ１の面同士が摺接することになり（仮想線で示す）、スムーズに案内筒１４が外筒３２に対して前進することができる。これに対して、リブ１４ｅの傾斜角度が小さいと、案内筒１４を少し回転させるとリブ１４ｅの先端が溝３２ａの傾斜面３２ａ１に沿って前進していくため、傾斜面３２ａ１からの抵抗を大きく受け、スムーズに案内筒１４が外筒３２に対して前進することができないという欠点を有することになる。
【０００９】
さらに、案内筒１４のリブ１４ｅよりも先端部には、外径方向に膨らんだ鍔部１４ｇが設けられる。鍔部１４ｇの外径は外筒３２の溝３２ａでない山の部分における内径にほぼ等しいものとなっており、鍔部１４ｇは、外筒３２の溝３２ａが形成されている部分よりも前方の内面に当接する。また、案内筒１４の後方部分１４Ａは前方部分１４Ｂに比べて拡径されており、後方部分１４Ａの前端部の外周面は、外筒３２の後端内面の内径（図においては外筒３２の溝３２ａとなっている部分における内径）にほぼ等しいものとなっている。従って、案内筒１４の前方部分１４Ｂを外筒３２の後方部内面に嵌入すると、鍔部１４ｇが外筒３２の内面に当接し、案内筒１４の後方部分１４Ａが外筒３２の後端内面に当接する。これら２点は、リブ１４ｅと溝３２ａとの嵌合部分とは異なっており、リブ１４ｅと溝３２ａとの間にガタがあったとしても、この２点での当接により案内筒１４と外筒３２はガタのない状態で組み付けられる。尚、鍔部１４ｇの最先端は、図示のように先端に向かうに連れて漸次縮径されたテーパー面となっていると好ましい。これにより、外筒３２内への嵌入を容易にすることができる。
【００１０】
外筒３２内には筆記軸体３４である芯送り出し機構が収設されおり、芯送り出し機構を構成する芯タンク３６の一部が案内筒１４の前方部分１４Ｂの内面に嵌入されている。案内筒１４の前方部分１４Ｂの側面には開口１４ｈが形成されており、図７に示したように、案内筒１４の開口１４ｈが設けられた案内筒１４の内面の断面形状は円形の一部が迫り出した形状となっている。この迫り出した部分は、開口１４ｈによって弾性を有し芯タンク３６の後端部に弾接する弾接突部１４ｉとなる。この弾接突部１４ｉは、芯タンク３６が案内筒１４の中に嵌入する際に開口１４ｈが変形することによって芯タンク３６を受け入れ易くし、その一方で、芯タンク３６が嵌入された後は容易に外れないように芯タンク３６を押圧している。芯タンク３６の後端部３６ａは案内筒１４の内部に形成された仕切壁１４ｆに当接したところまで嵌入される。尚、開口１４ｈの形状は図７において、左右に分かれる割型に適したものとなっている。
【００１１】
また、図５に示したように、筒状体１２の螺旋溝１２ａは、その断面形状において、筒状体１２の軸方向の一方向、本実施の形態では棒状物繰り出し方向と反対の方向に向かって漸次、溝深さが深くなるように傾斜するテーパ面１２ａ１と、溝深さが一定の平坦面１２ａ２と、テーパ面１２ａ１の最深部側に設けられ筒状体１２の軸方向に垂直な垂直面１２ａ３とを備えている。このようにテーパ面１２ａ１を備えることにより、筒状体１２を成形終了時に螺旋溝１２ａに対応した雄ネジを有するコアピンを筒状体１２から抜き出す際に、コアピンを直線的に動かして無理抜きしても抜け易く、螺旋溝１２ａを傷めることなく成形することができる。従って、コアピンを螺旋溝１２ａに沿って回転させながら抜く必要がないので効率的に製造することができる。
ホルダ１６は、棒状物２０を挟持すると共にスリット１４ａにはめ込まれる一対の挟持片１６ｂと、棒状物２０の退却を阻止する底面１６ｃと、を有しており、前記螺旋溝１２ａに嵌合する突起１６ａは、挟持片１６ｂの外面に形成されている。
【００１２】
以上のように構成される筆記具３０において棒状物２０を繰り出す場合には、筒状体１２を外筒３２に対して相対回転させる。これにより、案内筒１４のスリット１４ａに係合したホルダ１６が筒状体１２に対して相対回転し、筒状体１２の螺旋溝１２ａに嵌合する突起１６ａが螺旋溝１２ａに沿って移動して、ホルダ１６が自転しながら筒状体１２内をその軸方向に移動して、棒状物２０が筒状体１２の後端より繰り出される。また、筒状体１２を外筒３２に対して上記と反対の方向に相対回転させることにより、棒状物２０を筒状体１２内へ退却する方向へ移動させることができる。
芯を繰り出す場合には、案内筒１４を筒状体１２と共に外筒３２に対して前進ノックする。これにより、芯タンク３６が仕切壁１４ｆによって前進させられて、公知の芯送り出し機構の作用によって芯が繰り出される。
また、芯を補充する場合には、案内筒１４の前方部分１４Ｂを外筒３２の後方部から外すことにより、芯タンク３６に芯を挿入することができる。芯補充が終了後、再び案内筒１４の前方部分１４Ｂを外筒３２内に嵌入する際に、前記リブ１４ｅと溝３２ａにそれぞれ形成された傾斜面１４ｅ１、３２ａ１に沿って互いの周方向の位置関係が正しい位置になるように誘導される。このときも、傾斜面１４ｅ１の傾斜角度が傾斜面３２ａ１の傾斜角度以上（好ましくは傾斜面３２ａ１の傾斜角度より大きく）なっていることから、スムーズに案内筒１４の前方部分１４Ｂを外筒３２に挿入することができる。
【００１３】
リブ１４ｅまたは溝３２ａの傾斜面１４ｅ１、３２ａ１は、図３または図６に示すような連続的なものに限らない。即ち、図８に示したように、段部状に傾斜した傾斜面１４ｅ２としてもよい。また、さらに、図９に示したように、細かい段部状に傾斜した傾斜面１４ｅ３としてもよい。このように段部状傾斜面にした場合には、その全体的な軸線方向からの傾斜角度θ３が、溝３２ａの傾斜面３２ａ１の傾斜角度以下とすることが好ましく、本例では、２２．５度となっている。このように構成することにより、案内筒１４を外筒３２に嵌入する際に、リブ１４ｅの段部状傾斜面の段部に、溝３２ａと溝３２ａとの間の山の後端３２ｃが係止しても、溝３２ａと溝３２ａとの間の山の幅がリブ１４ｅの幅よりも大きく、案内筒１４を少し回転させると、係止が外れるため、スムーズに案内筒１４が外筒３２に対して前進することができる。
尚、以上の実施の形態のリブ１４ｅまたは溝３２ａのそれぞれの傾斜面と隣接する傾斜面との境界は鋭角の角となっていたが、これに限るものではなく、傾斜面と隣接する傾斜面との境界Ａを曲線状にすることもでき（図１１（ａ））、また、傾斜面と傾斜面でない軸線方向に平行な部分との境界Ｂも曲線状に接続することもできる（図１１（ｂ））。このようにして、角をなくすことにより、リブ１４ｅと溝３２ａとの間で引っかかることを阻止し、より円滑に案内筒１４を外筒３２に挿入することができる。
【００１４】
【発明の効果】
以上説明したように、本発明の請求項１記載の発明によれば、案内筒の前方部分を外筒の後方部内面に嵌入する際に、外筒の溝及びリブにそれぞれ形成された傾斜面に沿って、両部品が正しい周方向の位置関係になるように誘導することができる。しかも、リブの傾斜面の傾斜角度が前記溝の傾斜面の傾斜角度より大きくなっていることから、リブの尖った先端が溝の傾斜面に沿って移動することを避けることができ、常にリブの傾斜面と溝の傾斜面の面同士が摺接するようできるため、スムーズに案内筒を外筒に対して前進させることができる。
また、請求項２記載の発明によれば、外筒の傾斜面またはリブの傾斜面のいずれか一方を段部状傾斜面とした場合でも、請求項１記載の発明と同様に、案内筒の前方部分を外筒の後方部内面に嵌入する際に、外筒の溝及びリブにそれぞれ形成された傾斜面に沿って、両部品が正しい周方向の位置関係になるように誘導することができる。そして、段部状傾斜面の傾斜角度を連続的な傾斜面の傾斜角度より小さくすることにより、段部状傾斜面の段部に、他方の部材が係止しても、案内筒を少し回転させると、係止が外れるため、スムーズに案内筒を外筒に対して前進させることができる。
【００１５】
また、請求項３記載の発明によれば、案内筒の鍔部の外周面が外筒の内面に当接し、また、案内筒の後方部分の前端部の外周面が外筒の後端内面に当接するため、これらの２点での当接により、案内筒は外筒に対してガタがない状態で組み付けることができる。従って、リブと溝との間にはある程度のガタがあっても許容することができる。
また、請求項４記載の発明によれば、弾接突部は、筆記軸体が案内筒の中に嵌入する際に開口が変形することによって芯タンクを受け入れ易くし、その一方で、筆記軸体が嵌入された後は容易に外れないように筆記軸体を押圧することができる。
【図面の簡単な説明】
【図１】本発明の筆記具の実施の形態を表す縦断面図である。
【図２】図１の筆記具を９０度回転した状態で見た後部縦断面図である。
【図３】（ａ）及び（ｂ）は、図１の案内筒を示す図である。
【図４】（ａ）及び（ｂ）は、図３（ａ）及び（ｂ）のそれぞれ縦断面図である。
【図５】図１の筒状体の縦断面図である。
【図６】図１の外筒の縦断面図である。
【図７】図３（ｂ）の７−７線に沿って見た端面図である。
【図８】（ａ）は、案内筒のリブの他の実施の形態を表す図３の８部に相当する部分拡大図であり、（ｂ）は（ａ）のｂ線矢視図である。
【図９】（ａ）は、案内筒のリブの他の実施の形態を表す図３の８部に相当する部分拡大図であり、（ｂ）は（ａ）のｂ線矢視図である。
【図１０】（ａ）及び（ｂ）は本発明のリブと溝の傾斜面のそれぞれの傾斜角度の関係を示す説明展開図である。
【図１１】（ａ）及び（ｂ）は、案内筒のリブの他の実施の形態を表す図３の８部に相当する部分拡大図である。
【符号の説明】
１２  筒状体
１２ａ  螺旋溝
１４  案内筒
１４Ａ  後方部分
１４Ｂ  前方部分
１４ｅ  リブ
１４ｅ１  傾斜面
１４ｅ２  傾斜面
１４ｅ３  傾斜面
１４ｇ  鍔部
１４ｈ  開口
１４ｉ  弾接突部
１６  ホルダ
１６ａ  突起
２０  棒状物
３０  筆記具
３２  外筒
３２ａ  溝
３２ａ１  傾斜面
３４ 筆記軸体
【図１】
0003877844.tif 000002
【図２】
0003877844.tif 000003
【図３】
0003877844.tif 000004
【図４】
0003877844.tif 000005
【図５】
0003877844.tif 000006
【図６】
0003877844.tif 000007
【図７】
0003877844.tif 000008
【図８】
0003877844.tif 000009
【図９】
0003877844.tif 000010
【図１０】
0003877844.tif 000011
【図１１】
0003877844.tif 000012